(57)【特許請求の範囲】
【請求項１】
山形に形成されるカバー材と、前記カバー材内に配備される一対の通気部材とから成り、前記通気部材は、幅方向に通気する多数の通気路を有するものであって、前記通気部材の上面に当該上面よりも幅方向に長い天板が定着され、前記天板の前記通気部材の上面よりはみ出した部分は、前記通気部材の開口端面との間に下方が広い通気間隙が保持されるように折曲されて遮蔽板が形成され、前記カバー材の両傾斜面の中間部に、前記カバー材の長さ方向に延びる、横幅が前記遮蔽板の横幅よりも短い通気開口が形成され、前記一対の通気部材はそれぞれ、前記遮蔽板が前記通気開口の下側に位置し、且つ、前記遮蔽板が前記通気開口の上側から露見するように、前記遮蔽板を介して前記カバー材の裏面に固定されることを特徴とする棟換気装置。
【請求項２】
棟部の屋根材を切り取って開設される換気孔に沿って屋根材を押え止める桟木が打着され、前記カバー材は、その幅方向両端が断面クランク状に折曲され、設置時において端部平坦面が野地板固定面となり、また、そのクランク部の角部内に前記桟木が収まるようにされる、請求項１に記載の棟換気装置。
【請求項３】
前記カバー材の通気開口は、長さ方向に断続的に設けられる、請求項１又は２に記載の棟換気装置。
【請求項４】
前記カバー材裏面の前記通気部材設置部間に結露防止材が定着される、請求項１乃至３のいずれかに記載の棟換気装置。
【発明の詳細な説明】
【技術分野】
【０００１】
本発明は、棟換気装置に関するものであり、より詳細には、家屋の棟部分（隅棟及び平棟）における換気を、雨雪の侵入を防止しつつ行うための棟換気装置に関するものである。
【背景技術】
【０００２】
上記棟換気装置としては、山形を呈する上面板の幅方向両端部裏面に、それぞれ一端面から他端面へと抜ける多数の通気路を縦横に連設した通気部材を設置することを基本構成とするものが知られており、そのような構成を有する多種多様の装置が製品化されている（下記特許文献参照）。
【０００３】
ところで、従来の棟換気装置は、主に平棟への使用を想定したものであって、隅棟への使用を想定したものではない。防水の面からは、平棟に使用する場合よりも隅棟へ使用する場合の方が問題が多いことは言うまでもない。即ち、平棟に使用する場合は、主に、通気方向となる短辺方向からの風雨を考慮するだけで足りるが、隅棟に使用する場合は、設置時に長尺方向に傾斜状態となるため、短尺方向からの風雨のみならず、長尺方向からの風雨、つまり、隅棟に沿って下側から風によってせり上げられてくる雨水、あるいは、上側から吹き付けられてくる雨水に対しても対処する必要がある。
【０００４】
しかるに、上記のとおり、従来の棟換気装置は平棟への使用を前提としており、長尺方向からの風雨に対処し得る構成とはなっていないため、隅棟に使用するのには適さない。
【先行技術文献】
【特許文献】
【０００５】
【特許文献１】特許第２６１０３４２号公報
【特許文献２】特開２０００−２２０２６６号公報
【特許文献３】特許第３２７７２３２号公報
【特許文献４】特開２００３−５６１４５号公報
【特許文献５】特開２００３−３６３１号公報
【発明の概要】
【発明が解決しようとする課題】
【０００６】
上述したように、上記従来の棟換気装置は、平棟への使用を前提としていて、通気方向である短辺方向からの風雨に対しては対処可能であるが、長尺方向からの風雨に対処し得る構成とはなっていないために、隅棟に使用するには適さない。そこで本発明は、通気方向である短尺方向からの風雨のみならず、長尺方向からの風雨に対しても十分に対処することができ、平棟の場合はもちろん、隅棟についても利用可能な棟換気装置を提供することを課題とする。
【課題を解決するための手段】
【０００７】
上記課題を解決するための請求項１に記載の発明は、山形に形成されるカバー材と、前記カバー材内に配備される一対の通気部材とから成り、前記通気部材は、幅方向に通気する多数の通気路を有するものであって、前記通気部材の上面に当該上面よりも幅方向に長い天板が定着され、前記天板の前記通気部材の上面よりはみ出した部分は、前記通気部材の開口端面との間に下方が広い通気間隙が保持されるように折曲されて遮蔽板が形成され、前記カバー材の両傾斜面の中間部に、前記カバー材の長さ方向に延びる、横幅が前記遮蔽板の横幅よりも短い通気開口が形成され、前記一対の通気部材はそれぞれ、前記遮蔽板が前記通気開口の下側に位置し、且つ、前記遮蔽板が前記通気開口の上側から露見するように、前記遮蔽板を介して前記カバー材の裏面に固定されることを特徴とする棟換気装置である。
【０００８】
一実施形態においては、棟部の屋根材を切り取って開設される換気孔に沿って屋根材を押え止める桟木が打着され、前記カバー材は、その幅方向両端が断面クランク状に折曲され、設置時において端部平坦面が野地板固定面となり、また、そのクランク部の角部内に前記桟木が収まるようにされ、また、前記カバー材の通気開口は、長さ方向に断続的に設けられ、更に、前記カバー材裏面の前記通気部材設置部間に結露防止材が定着される。
【発明の効果】
【０００９】
本発明は上記構成であるため、簡易な構成であって、通常の雨、あるいは、隅棟に沿って下側から風によってせり上げられてくる雨水、もしくは、上側から吹き付けられてくる雨水が通気開口から入り込んできたとしても、遮蔽板に当たって、通気部材の開口面から離れる方向に導かれて屋根材上に滴下するため、通気部材の開口面に触れることはなく、通気部材を経て小屋裏内に滴下するおそれはない。従って、本発明に係る棟換気装置は、平棟の場合はもちろん、隅棟についても利用可能なる効果がある。
【図面の簡単な説明】
【００１０】
【図１】本発明に係る棟換気装置の一実施形態の構成を示す分解正面図である。
【図２】本発明に係る棟換気装置の一実施形態の納まり状態を示す断面図である。
【図３】本発明に係る棟換気装置の一実施形態の施工状態を示す斜視図である。
【発明を実施するための形態】
【００１１】
本発明を実施するための形態につき、添付図面に依拠して説明する。図１は本発明に係る棟換気装置１の一実施形態の構成を示す分解正面図であり、図２は、それの納まり状態を示す断面図である。そこに示されるように本装置１は、山形に形成される、通例、金属製のカバー材２と、カバー材２内に配備される一対の通気部材４、５とから成る。カバー材２の山形形状の角度は、本装置が設置される棟部の野地板３１、３１（屋根材３２、３２）のなす角度に対応するように、予め、あるいは、現場において設定される。
【００１２】
通気部材４、５は、幅方向（図において左右方向）に通気する多数の通気路を有するもので、通例、幅方向に抜ける通気路を並設したプラスチック板を多数段積層し、熱線で溶断して所定幅にすると共に一体化する公知の方法により製造することができる（特許第２６１０３４２号公報等参照）。通気部材４、５の短尺側側面形状は、正方形、長方形、平行四辺形等とすることもできるが、好ましくは、図１、２に示されるような逆台形状とされる。
【００１３】
通気部材４、５の上面には、その上面より一方向に延出する幅方向に長い天板が定着され、その天板の通気部材４、５の上面より延出する部分が通気部材４、５の外端面に沿って折曲されて、遮蔽板７、８が形成される。遮蔽板７、８は通気部材４、５外端面に密着させることなく、通気部材４、５外端面との間に、下方が広い通気間隙６が保持されるようにして折曲される（図１、２参照）。
【００１４】
カバー材２は、その幅方向両端が断面クランク状に折曲され、その角部１１内に後述する桟木２１が収まり、端部平坦面が野地板固定面１２となる。また、カバー材２の両傾斜面の中間部に、長さ方向に延びる通気開口１３が形成される。通気開口１３は一連のものであってもよいが、通例、図３に示されるように、長尺の開口を適宜間隔置きに開設したものとされる。通気開口１３の横幅は、遮蔽板７、８の横幅よりも小となるように設定される。
【００１５】
通気部材４、５は、通例、両面テープを介してカバー材２の裏面に固定されるが、その固定位置は、その上面の天板の折曲個所、換言すれば、遮蔽板７、８の始端が通気開口１３の上方側縁部に当たる位置とされる。従って、遮蔽板７、８は、通気開口１３から視認可能な位置関係となる（図１、２参照）。好ましい実施形態においては、カバー材２裏面の中央部、即ち、通気部材４、５設置部の内側に、長さ方向に延びる結露防止材１０が定着される。結露防止材１０としては、通例、厚さ１〜２ｍｍ程度の発泡ポリエチレンシート材が用いられる。
【００１６】
次に、本発明に係る棟換気装置の施工方法について説明する。その施工に際しては先ず、棟部の屋根材３２を切り取って換気孔３０を開設し、換気孔３０を囲むようにして水切り２２を配設する。水切り２２は立ち上り部と着座部とを有し、立ち上り部は通気部材４、５の内側に、通気部材４、５から間隔を置いて立ち上るように配設され、着座部は野地板３１上に固定される（図２参照）。そして、水切り２２の着座部を野地板３１との間に挟持するように屋根材３２を施工する。
【００１７】
また、隅棟の場合は水下側棟包３４を取り付け、その後、換気孔３０の縁辺（通気部材４、５配置部の外側）に沿ってプラスチック製の桟木２１を、パッキン材２３を挟んで屋根材３２から野地板３１へとビス留めする。なお、隅棟の場合は、屋根材３２の端部に端材（例えば、図３において符号３２ａが付された三角形部分）が生じやすいが、この部分は桟木２１を打着することによって確固と押え止めることができる。
【００１８】
次いで、裏面に通気部材４、５と結露防止材１０とを固定したカバー材２を、換気孔３０を塞ぐように被装する。その際、カバー材２の両側の角部１１内に桟木２１が収まるようにし、また、カバー材２の水下側端部が、水下側棟包３４上に所定量（例えば７５ｍｍ）オーバーラップするようにする。そして、最後に水上側棟包３３が、その端部がカバー材２の水上側端部上に所定量（例えば７５ｍｍ）、オーバーラップするように取り付けて施工完了となる。
【００１９】
このようにして隅棟に施工された本発明に係る棟換気装置においては、通常の雨、あるいは、隅棟に沿って下側から風によってせり上げられてくる雨水、もしくは、上側から吹き付けられてくる雨水が通気開口１３から入り込んでくることがあるが、入り込んできた雨水は、その下に傾斜状態に存在する遮蔽板７、８に当たり、通気部材４、５の開口面から離れる方向に導かれて屋根材３２上に滴下する。遮蔽板７、８の横幅は、通気開口１３の横幅よりも大となるように設定されているため、通気開口１３から入り込んで遮蔽板７、８に沿って滴下した水が、通気部材４、５の開口面に触れるおそれはない。
【００２０】
通気方向である短辺方向からの風雨についても同様に作用するが、仮に強風に伴って、通気開口１３から入り込んで遮蔽板７、８の下の間隙を抜けた雨水が通気部材４、５を通り抜けることがあっても、その雨水は、水切り２２によって確実にそれ以上の進行を阻止される。また、風のある場合、風上側の通気開口１３付近と風下側の通気開口１３付近は共に負圧となって煙突状態となるため、小屋裏内の空気は、風上側と風下側の双方の通気開口１３から排気されることになる。
【００２１】
この発明をある程度詳細にその最も好ましい実施形態について説明してきたが、この発明の精神と範囲に反することなしに広範に異なる実施形態を構成することができることは明白である。従って、この発明は、添付請求の範囲において限定した以外はその特定の実施形態に制約されるものではない。
【符号の説明】
【００２２】
１    棟換気装置
２    カバー材
４    通気部材
５    通気部材
６    通気間隙
７    遮蔽板
８    遮蔽板
１０    結露防止材
１１    角部
１２    野地板固定面
１３    通気開口
２１    桟木
２２    水切り
２３    パッキン材
３０    換気孔
３１    野地板
３２    屋根材
３３    水上側棟包
３４    水下側棟包
【図１】
0006000661.tif 000002
【図２】
0006000661.tif 000003
【図３】
0006000661.tif 000004